(57)【特許請求の範囲】
【請求項１】
上半身ウェアラブルデバイスと下肢ウェアラブルデバイスとを備え、
前記上半身ウェアラブルデバイスに電子式エアバッグが設けられ、前記下肢ウェアラブルデバイスに筋肉状態監視装置が設けられ、前記筋肉状態監視装置は、前記上半身ウェアラブルデバイス又は前記上半身ウェアラブルデバイスの前記電子式エアバッグに信号で接続され、下肢筋肉のけいれんが検出される場合に、前記筋肉状態監視装置は前記上半身ウェアラブルデバイス又は前記上半身ウェアラブルデバイスの前記電子式エアバッグに信号を送信し、前記電子式エアバッグを開くように、前記上半身ウェアラブルデバイスを介して前記電子式エアバッグを作動させ、又は前記電子式エアバッグを作動させることを特徴とする水泳用ウェアラブルデバイス。
【請求項２】
前記上半身ウェアラブルデバイスは、ベスト式上半身ウェアラブルデバイス、包帯式上半身ウェアラブルデバイス、粘着式上半身ウェアラブルデバイス、又は腕装着式上半身ウェアラブルデバイスを有することを特徴とする請求項１に記載の水泳用ウェアラブルデバイス。
【請求項３】
前記下肢ウェアラブルデバイスは、足首装着式下肢ウェアラブルデバイス、包帯式下肢ウェアラブルデバイス、又は粘着式下肢ウェアラブルデバイスを有することを特徴とする請求項１又は２に記載の水泳用ウェアラブルデバイス。
【請求項４】
少なくとも１つの前記下肢ウェアラブルデバイスを有し、前記上半身ウェアラブルデバイスは少なくとも１つの上肢ウェアラブルデバイスを有し、
夫々の前記上肢ウェアラブルデバイスに電子式エアバッグが設けられ、夫々の前記下肢ウェアラブルデバイスの筋肉状態監視装置は、少なくとも１つの前記上肢ウェアラブルデバイス、又は少なくとも１つの前記上肢ウェアラブルデバイスの前記電子式エアバッグに信号で接続され、前記筋肉状態監視装置により筋肉のけいれんが検出される場合に、少なくとも１つの前記上肢ウェアラブルデバイス、又は少なくとも１つの前記上肢ウェアラブルデバイスの前記電子式エアバッグに信号を送信し、前記電子式エアバッグを開くように、少なくとも１つの前記上肢ウェアラブルデバイスを介して前記電子式エアバッグを作動させ、又は前記電子式エアバッグを作動させることを特徴とする請求項１〜３のいずれか一項に記載の水泳用ウェアラブルデバイス。
【請求項５】
前記下肢ウェアラブルデバイスは警報装置を有し、前記警報装置は前記筋肉状態監視装置に信号で接続され、前記筋肉状態監視装置により筋肉のけいれんが検出される場合に、警報装置を作動させて警報を発することを特徴とする請求項１〜４のいずれか一項に記載の水泳用ウェアラブルデバイス。
【請求項６】
夫々の前記下肢ウェアラブルデバイスの筋肉状態監視装置は、少なくとも１つの前記上肢ウェアラブルデバイス、又は少なくとも１つの前記上肢ウェアラブルデバイスの電子式エアバッグに無線信号で接続されることを特徴とする請求項４に記載の水泳用ウェアラブルデバイス。
【請求項７】
前記上肢ウェアラブルデバイスに表示装置が設けられていることを特徴とする請求項４又は６に記載の水泳用ウェアラブルデバイス。
【請求項８】
前記表示装置に、クロックモジュールと、タイマモジュールと、距離計算モジュールとのうちの少なくとも一種が組み込まれていることを特徴とする請求項７に記載の水泳用ウェアラブルデバイス。
【請求項９】
前記距離計算モジュールは、ＧＰＳによる距離計算モジュール、又は振動カウントによる距離計算モジュールを有することを特徴とする請求項８に記載の水泳用ウェアラブルデバイス。
【請求項１０】
前記電子式エアバッグはガス発生器を有し、前記ガス発生器には、速やかに分解可能でガスを発生させる物質が収容されていることを特徴とする請求項１〜９のいずれか一項に記載の水泳用ウェアラブルデバイス。
【請求項１１】
電子式エアバッグが設けられる上肢ウェアラブルデバイスであって、前記上肢ウェアラブルデバイス又は前記電子式エアバッグは筋肉状態監視装置に信号で接続され、筋肉状態監視装置により筋肉のけいれんが検出される場合に、前記上肢ウェアラブルデバイスに信号を送信し、前記電子式エアバッグを開くように、前記上肢ウェアラブルデバイスを介して前記電子式エアバッグを作動させ、又は前記電子式エアバッグを作動させることを特徴とする上肢ウェアラブルデバイス。
【請求項１２】
前記上肢ウェアラブルデバイスに表示装置がさらに設けられ、前記表示装置に、クロックモジュールと、タイマモジュールと、距離計算モジュールとのうちの少なくとも一種が組み込まれていることを特徴とする請求項１１に記載の上肢ウェアラブルデバイス。
【請求項１３】
前記電子式エアバッグはガス発生器を有し、前記ガス発生器には、速やかに分解可能でガスを発生させる物質が収容されていることを特徴とする請求項１１に記載の上肢ウェアラブルデバイス。
【発明の詳細な説明】
【技術分野】
【０００１】
本発明の実施例は、水泳用ウェアラブルデバイス及び上肢ウェアラブルデバイスに関する。
【背景技術】
【０００２】
水泳時に、脚または足のけいれん（筋肉のけいれんとも呼ばれる）は、溺水事故の主な原因である。水泳時の安全性を向上させ、溺水事故を減らすことは、現時点で早急な技術課題である。
【発明の概要】
【発明が解決しようとする課題】
【０００３】
本発明の実施例は、水泳用ウェアラブルデバイス及び上肢ウェアラブルデバイスを提供し、水泳時の安全性を向上させ、溺水事故を減らすことを１つの目的とする。
【０００４】
本発明の少なくとも１つの実施例は、水泳用ウェアラブルデバイスを提供し、該水泳用ウェアラブルデバイスは、上半身ウェアラブルデバイスと下肢ウェアラブルデバイスとを備え、
前記上半身ウェアラブルデバイスに電子式エアバッグが設けられ、前記下肢ウェアラブルデバイスに筋肉状態監視装置が設けられ、前記筋肉状態監視装置は、前記上半身ウェアラブルデバイスに信号で接続され、前記筋肉状態監視装置により下肢筋肉のけいれんが検出される場合に、電子式エアバッグを開くように作動させる。
【０００５】
水泳者が本発明の実施例が提供する水泳用ウェアラブルデバイスを装着して水泳しているとき、筋肉状態監視装置により脚または足のけいれんが検出される場合に、上半身ウェアラブルデバイスに信号を送信し、上半身ウェアラブルデバイスを介して電子式エアバッグを開くように作動させて、開いた電子式エアバッグにより、水泳者に所定の浮力を付与し、水泳者の安全を守ることができる。従って、本発明の実施例が提供する水泳用ウェアラブルデバイスを装着することで、水泳時の安全性を向上させ、溺水事故を減らすことができる。
【０００６】
本発明の１つの実施例において、前記上半身ウェアラブルデバイスは、ベスト式上半身ウェアラブルデバイス、包帯式上半身ウェアラブルデバイス、粘着式上半身ウェアラブルデバイス、又は腕装着式上半身ウェアラブルデバイスを有する。
【０００７】
本発明の１つの実施例において、前記下肢ウェアラブルデバイスは、足首装着式下肢ウェアラブルデバイス、包帯式下肢ウェアラブルデバイス、又は粘着式下肢ウェアラブルデバイスを有する。
【０００８】
本発明の１つの実施例において、前記水泳用ウェアラブルデバイスは、少なくとも１つの前記下肢ウェアラブルデバイスと、少なくとも１つの前記上半身ウェアラブルデバイスとを有し、
夫々の前記上半身ウェアラブルデバイスに電子式エアバッグが設けられ、夫々の前記下肢ウェアラブルデバイスに筋肉状態監視装置が設けられ、前記筋肉状態監視装置は、少なくとも１つの前記上半身ウェアラブルデバイスに信号で接続され、筋肉のけいれんが検出される場合に、前記筋肉状態監視装置は、少なくとも１つの前記上半身ウェアラブルデバイスに信号を送信し、該信号に応じて、少なくとも１つの前記上半身ウェアラブルデバイスは、設けられてある電子式エアバッグを開くように作動させる。
【０００９】
水泳者が本発明の実施例が提供する水泳用ウェアラブルデバイスを装着して水泳しているとき、脚または足にけいれんが発生したとき、筋肉状態監視装置は上半身ウェアラブルデバイスに信号を送信し、該信号に応じて、上半身ウェアラブルデバイスは電子式エアバッグを開くように作動させて、開いた電子式エアバッグにより、水泳者に所定の浮力を付与し、水泳者の安全を守ることができる。
【００１０】
本発明の１つの実施例において、前記下肢ウェアラブルデバイスはさらに警報装置を有し、前記警報装置は筋肉状態監視装置に信号で接続され、前記筋肉状態監視装置により筋肉のけいれんが検出される場合に、前記警報装置に信号を送信し、警報装置を作動させて警報を発する。前記警報装置の警報信号により、水泳者の危険な状況を他人または監視員に知らせることができ、溺水事故を減らし、水泳者の安全をさらに守ることができる。
【００１１】
本発明の１つの実施例において、夫々の前記下肢ウェアラブルデバイスの筋肉状態監視装置は、少なくとも１つの前記上半身ウェアラブルデバイスに無線信号で接続される。筋肉状態監視装置を上半身ウェアラブルデバイスに無線信号で接続することにより、水泳者の拘束感を軽減し、快適性を向上させることができる。
【００１２】
本発明の１つの実施例において、前記上半身ウェアラブルデバイスに表示装置がさらに設けられている。水泳者は表示装置の表示情報を参照しながら、運動の状態を簡単且つ迅速に知ることができる。
【００１３】
本発明の１つの実施例において、前記表示装置に、クロックモジュールと、タイマモジュールと、距離計算モジュールとのうちの少なくとも一種が組み込まれている。
【００１４】
本発明の１つの実施例において、前記距離計算モジュールは、ＧＰＳによる距離計算モジュール、又は振動カウントによる距離計算モジュールを有する。
【００１５】
本発明の少なくとも１つの実施例は、上半身ウェアラブルデバイスをさらに提供し、前記上半身ウェアラブルデバイスに電子式エアバッグが設けられ、前記上半身ウェアラブルデバイス又は前記電子式エアバッグは下肢ウェアラブルデバイスの筋肉状態監視装置に信号で接続され、筋肉状態監視装置により筋肉のけいれんが検出される場合に、信号で接続されている前記上半身ウェアラブルデバイス又は前記電子式エアバッグに信号を送信し、前記電子式エアバッグを開くように、前記上半身ウェアラブルデバイスを介して前記電子式エアバッグを作動させ、又は前記電子式エアバッグを作動させる。
【００１６】
本発明の１つの実施例において、前記上半身ウェアラブルデバイスに表示装置が設けられ、前記表示装置に、クロックモジュールと、タイマモジュールと、距離計算モジュールとのうちの少なくとも一種がさらに組み込まれている。
【００１７】
筋肉状態監視装置が設けられる下肢ウェアラブルデバイスと、本発明の実施例が提供する上半身ウェアラブルデバイスを装着することで、溺水事故を減らし、水泳時の安全性を向上させることができる。
【００１８】
本発明の実施例の技術案を明確に説明するために、以下、実施例の図面について簡単に紹介する。明らかなように、下記図面は本発明の一部の実施例に関する図面にすぎず、本発明に対する制限ではない。
【図面の簡単な説明】
【００１９】
【図１】本発明の１つの実施例の水泳用ウェアラブルデバイスの構造を示す図面である。
【図２】本発明のもう１つの実施例の水泳用ウェアラブルデバイスの構造を示す図面である。
【図３】本発明のもう１つの実施例の水泳用ウェアラブルデバイスの構造を示す図面である。
【図４】本発明の１つの実施例の上半身ウェアラブルデバイス及び下肢ウェアラブルデバイスの構造を示す図面である。
【図５】本発明の１つの実施例の上半身ウェアラブルデバイスの構造を示す図面である。
【図６】本発明の１つの実施例の下肢ウェアラブルデバイスの構造を示す図面である。
【発明を実施するための形態】
【００２０】
本発明の実施例の目的、技術案及び利点を明確にするために、以下、本発明の実施例の図面を参照しながら、本発明の実施例の技術案について明確かつ全面的に説明する。明らかなように、下記実施例は本発明の一部の実施例にすぎず、全ての実施例ではない。下記実施例に基づき、当業者が創造的な労働をすることなく得られる他の実施例は、全て本発明の保護範囲に含まれる。
【００２１】
溺水事故を減らし、水泳時の安全性を向上させるために、本発明の実施例は水泳用ウェアラブルデバイス及び上肢ウェアラブルデバイスを提供する。
【００２２】
図１に示すように、本発明の少なくとも１つの実施例は、水泳用ウェアラブルデバイスを提供し、該水泳用ウェアラブルデバイスは、上半身ウェアラブルデバイス１００と下肢ウェアラブルデバイス２とを備え、
上半身ウェアラブルデバイス１００に電子式エアバッグ１１が設けられ、下肢ウェアラブルデバイス２に筋肉状態監視装置２１が設けられ、筋肉状態監視装置２１は、上半身ウェアラブルデバイス１００に信号で接続され、又は電子式エアバッグ１１に直接に信号で接続され、筋肉状態監視装置２１により下肢筋肉のけいれんが検出される場合に、信号で接続されている上半身ウェアラブルデバイス１００又は電子式エアバッグ１１に信号を送信し、上半身ウェアラブルデバイス１００を介して電子式エアバッグ１１を開くように作動させ、あるいは、該信号に応じて直接に電子式エアバッグ１１を開くように作動させる。
【００２３】
上半身ウェアラブルデバイス１００及び下肢ウェアラブルデバイス２の形態には制限がない。例えば、上半身ウェアラブルデバイス１００は、ベスト式上半身ウェアラブルデバイス、包帯式上半身ウェアラブルデバイス、粘着式上半身ウェアラブルデバイス、又は腕装着式上半身ウェアラブルデバイスなどであってよい。下肢ウェアラブルデバイス２は、足首装着式下肢ウェアラブルデバイス、包帯式下肢ウェアラブルデバイス、又は粘着式下肢ウェアラブルデバイスなどであってよい。
【００２４】
電子式エアバッグは、エアバッグ本体とガス発生器を有し、ガス発生器には、窒化ナトリウム又は硝酸アンモニウムのような物質が収容され、電子式エアバッグが作動させられるとき、ガス発生器はポイント爆発動作を行い、ガス発生器に収容されている物質は速やかに分解し、ガスを大量生成してエアバッグを満たす。１つの実施例において、筋肉状態監視装置は上肢ウェアラブルデバイス又は電子式エアバッグに信号で接続され、筋肉状態監視装置により下肢筋肉のけいれんが検出される場合に、上肢ウェアラブルデバイス又は電子式エアバッグに電気信号を送信し、該電気信号に応じて、上肢ウェアラブルデバイス又は電子式エアバッグはガス発生器を作動させ、ポイント爆発動作を行い、ガス発生器に収容されている窒化ナトリウム又は硝酸アンモニウムのような物質は速やかに分解し、無毒で無臭のガスを大量生成してエアバッグを満たし、水泳者に所定の浮力を付与する。
【００２５】
水泳者が本発明の実施例が提供する水泳用ウェアラブルデバイスを装着して水泳しているとき、筋肉状態監視装置により筋肉のけいれんが検出される場合に、上半身ウェアラブルデバイス又は電子式エアバッグに信号を送信し、該信号に応じて、電子式エアバッグを開くように、上半身ウェアラブルデバイスを介して電子式エアバッグを作動させ、又は電子式エアバッグを作動させる。開いた電子式エアバッグにより、水泳者に所定の浮力を付与し、水泳者の安全を守ることができる。従って、本発明の実施例が提供する水泳用ウェアラブルデバイスを装着することで、溺水事故を減らし、水泳時の安全性を向上させることができる。
【００２６】
本発明の１つの実施例において、前記水泳用ウェアラブルデバイスは、少なくとも１つの下肢ウェアラブルデバイスを有し、前記上半身ウェアラブルデバイスは少なくとも１つの上肢ウェアラブルデバイスを有し、夫々の前記上肢ウェアラブルデバイスに電子式エアバッグが設けられ、夫々の前記下肢ウェアラブルデバイスの筋肉状態監視装置は、少なくとも１つの前記上肢ウェアラブルデバイスのそれぞれ、又は電子式エアバッグのそれぞれに信号で接続され、少なくとも１つの前記下肢ウェアラブルデバイスのいずれの筋肉状態監視装置により筋肉のけいれんが検出される場合に、該筋肉状態監視装置は少なくとも１つの前記上肢ウェアラブルデバイス、又は少なくとも１つの前記上肢ウェアラブルデバイスの前記電子式エアバッグに信号を送信し、電子式エアバッグを開くように、少なくとも１つの前記上肢ウェアラブルデバイスを介して電子式エアバッグを作動させ、又は前記電子式エアバッグを作動させる。
【００２７】
上肢ウェアラブルデバイス及び下肢ウェアラブルデバイスの数に制限がない。水泳者の体重と身体状況に応じて１つ又は複数個設けてよい。図２に示すように、水泳用ウェアラブルデバイスは、２つの上肢ウェアラブルデバイス１と、２つの下肢ウェアラブルデバイス２を有する。
【００２８】
夫々の上肢ウェアラブルデバイス１に電子式エアバッグ１１が設けられ、夫々の下肢ウェアラブルデバイス２に筋肉状態監視装置２１が設けられ、夫々の筋肉状態監視装置２１は、２つの上肢ウェアラブルデバイス１、又はそれらの電子式エアバッグ１１にそれぞれ信号で接続され、各筋肉状態監視装置２１により筋肉のけいれんが検出される場合に、２つの前記上肢ウェアラブルデバイス１、又は２つの前記上肢ウェアラブルデバイスの電子式エアバッグ１１に信号を送信し、２つの上肢ウェアラブルデバイス１を介して夫々の電子式エアバッグ１１を開くように作動させて、又は２つの前記上肢ウェアラブルデバイス１の電子式エアバッグ１１を作動させる。
【００２９】
水泳者が本発明の実施例が提供する水泳用ウェアラブルデバイスを装着して水泳しているとき、脚または足に筋肉のけいれんが発生した場合に、筋肉状態監視装置２１は、２つの前記上肢ウェアラブルデバイス１、又は２つの前記上肢ウェアラブルデバイス１の電子式エアバッグ１１に信号を送信し、電子式エアバッグ１１を開くように、２つの前記上肢ウェアラブルデバイス１を介して夫々の電子式エアバッグ１１を作動させ、又は電子式エアバッグ１１を作動させる。開いた電子式エアバッグ１１により、水泳者に所定の浮力を付与し、水泳者の安全を守ることができる。
【００３０】
上肢ウェアラブルデバイス１と下肢ウェアラブルデバイス２の装着位置に制限がない。例えば、上肢ウェアラブルデバイス１は水泳者の手首又は前腕に装着してよく、下肢ウェアラブルデバイス２は水泳者の足首またはふくらはぎに装着してよい。運動時の快適性を向上させて拘束感を軽減するために、本発明の１つの実施例において、上肢ウェアラブルデバイス１を水泳者の手首に装着し、下肢ウェアラブルデバイス２を水泳者の足首に装着する。
【００３１】
本発明の１つの実施例において、夫々の下肢ウェアラブルデバイスの筋肉状態監視装置は、少なくとも１つの前記上肢ウェアラブルデバイスの電子式エアバッグに無線信号で接続される。図２に示すように、夫々の筋肉状態監視装置２１は、２つの上肢ウェアラブルデバイス１の電子式エアバッグ１１に無線信号で接続され、例えば、ブルートゥース（登録商標）又は赤外線で接続される。筋肉状態監視装置２１を電子式エアバッグ１１に無線信号で接続することにより、水泳者の拘束感を軽減し、快適性を向上させることができる。
【００３２】
本発明のもう１つの実施例において、夫々の下肢ウェアラブルデバイスの筋肉状態監視装置は、少なくとも１つの前記上肢ウェアラブルデバイスに無線信号で接続される。図３に示すように、夫々の筋肉状態監視装置２１は、２つの上肢ウェアラブルデバイス１に無線信号で接続され、例えば、ブルートゥース（登録商標）又は赤外線で接続される。筋肉状態監視装置２１を上肢ウェアラブルデバイス１に無線信号で接続することにより、水泳者の拘束感を軽減し、快適性を向上させることができる。
【００３３】
図４に示すように、水泳時の安全性をさらに向上させるために、下肢ウェアラブルデバイス２には、筋肉状態監視装置２１に信号で接続される警報装置２２が設けられ、筋肉状態監視装置２１により筋肉のけいれんが検出される場合に、警報装置２２を作動させて警報を発する。警報装置２２の警報信号により、水泳者の異常状況を他人または監視員に知らせることができ、溺水事故を減らし、水泳時の安全性をさらに向上させることができる。警報装置２２の形態に制限がない。例えば、音響警報装置または可聴・視覚警報装置などであってよい。
【００３４】
上肢ウェアラブルデバイス１と下肢ウェアラブルデバイス２の構造形態に制限がない。例えば、上肢ウェアラブルデバイス１と下肢ウェアラブルデバイス２は、粘着により水泳者の上肢と下肢に夫々粘着固定してよい。図５、６に示すように、該実施例において、ウェアラブルデバイスを安定に固定するために、上肢ウェアラブルデバイス１は腕装着式であり、下肢ウェアラブルデバイス２は足首装着式であり、上肢ウェアラブルデバイス１と下肢ウェアラブルデバイス２は全体としてリング状であり、水泳者の腕と足首をそれぞれ囲むように装着できる。
【００３５】
図４に示す実施例において、上肢ウェアラブルデバイス１に表示装置１２がさらに設けられている。表示装置１２に、クロックモジュール１３と、タイマモジュール１４と、距離計算モジュール１５とのうちの少なくとも一種を組み込むことで、上肢ウェアラブルデバイス１は、時間表示、時間計算、水泳距離計算などの機能を有する。水泳者は表示装置１２の表示情報を参照しながら、運動の状態を簡単且つ迅速に知ることができる。例えば、距離計算モジュール１５は、ＧＰＳによる距離計算モジュール、又は振動カウントによる距離計算モジュールであってよい。
【００３６】
図５に示すように、上肢ウェアラブルデバイス１において、表示装置１２は電子式エアバッグ１１の一方側に設けられ、表示装置１２と電子式エアバッグ１１は、ウェアラブルデバイスの構造接続部１６に設けられ、構造接続部１６は接続機能と支持固定機能を果たす。装着しているとき、表示装置１２と電子式エアバッグ１１は腕の外側へ向いている。水泳者は表示装置１２の表示情報を参照しながら、自分の運動の状態を簡単に知ることができる。いったん脚または足に筋肉のけいれんが発生した場合に、電子式エアバッグ１１は腕の外側に迅速に開き、水泳者の安全を守ることができる。
【００３７】
同じ発明構想に基づき、本発明の少なくとも１つの実施例は、上肢ウェアラブルデバイスを提供し、該上肢ウェアラブルデバイスに電子式エアバッグが設けられ、下肢ウェアラブルデバイスの筋肉状態監視装置は前記上肢ウェアラブルデバイス又は前記上肢ウェアラブルデバイスの電子式エアバッグに信号で接続され、筋肉状態監視装置により筋肉のけいれんが検出される場合に、前記筋肉状態監視装置は前記上肢ウェアラブルデバイス又は前記上肢ウェアラブルデバイスの電子式エアバッグに信号を送信し、電子式エアバッグを開くように、前記上肢ウェアラブルデバイスを介して前記電子式エアバッグを作動させ、又は前記電子式エアバッグを作動させる。
【００３８】
本発明の１つの実施例において、前記上肢ウェアラブルデバイスに表示装置が設けられ、表示装置に、クロックモジュールと、タイマモジュールと、距離計算モジュールとのうちの少なくとも一種が組み込まれている。
【００３９】
筋肉状態監視装置が設けられる下肢ウェアラブルデバイスと、本発明の実施例が提供する上肢ウェアラブルデバイスを装着することで、溺水事故を減らし、水泳時の安全性を向上させることができる。
【００４０】
なお、本発明の各実施例において、上半身ウェアラブルデバイスと下肢ウェアラブルデバイスにおける各電子部材は、防水設計すべきである。あるいは、上半身ウェアラブルデバイスと下肢ウェアラブルデバイスは全体としてそれぞれ防水設計される。
【００４１】
以上は本発明を説明するために挙げられた実施形態であり、本発明の保護範囲を制限するものではない。本発明の保護範囲は、特許請求の範囲に準ずる。
【００４２】
本願は、２０１５年６月１８日に提出した中国特許出願第２０１５１０３４１５６３．１号に基づいて優先権を主張する。本願の一部として、上記中国特許出願の公開内容の全文を引用する。
【符号の説明】
【００４３】
１  上肢ウェアラブルデバイス
２  下肢ウェアラブルデバイス
１１  電子式エアバッグ
１２  表示装置
１３  クロックモジュール
１４  タイマモジュール
１５  距離計算モジュール
１６  構造接続部
２１  筋肉状態監視装置
２２  警報装置
１００  上半身ウェアラブルデバイス
【図１】
0006689759.tif 000002
【図２】
0006689759.tif 000003
【図３】
0006689759.tif 000004
【図４】
0006689759.tif 000005
【図５】
0006689759.tif 000006
【図６】
0006689759.tif 000007